(57)【要約】【課題】部品点数を増加させることなく、容易に梱包箱に嵌め込むことが可能で、かつ、収納空間に収納される製品が側方の４方向からの衝撃に対して、破損するのを抑制することが可能な梱包部材を提供する。【解決手段】この梱包部材では、仕切り１（第１仕切り）は、一対の側面部１ａと、底板部１ｂと、第２仕切りの仕切り面に対して直交する方向（図１のＡ方向）に所定の長さ分、突出する側端部１ｃとを有している。また、仕切り１（第１仕切り）の側面部１ａには、スリット１ｄ（第１スリット）が形成される側の端部に、仕切り２（第２仕切り）の仕切り面に沿って（図１のＢ方向）外側方に折り曲げられた補強片１ｅが一体的に設けられている。また、仕切り１（第１仕切り）は、仕切り１（第１仕切り）の下端部から仕切り２（第２仕切り）の仕切り面に沿って（図１のＢ方向）外側方で、かつ、水平方向に突出するように形成され、梱包箱４に挿入する際のガイドとして機能するガイド部１ｇを含む。【選択図】図１
2006062667.tif 000002
【特許請求の範囲】
【請求項１】
第１スリットを有する段ボール製の第１仕切りと、前記第１スリットに嵌め込まれる第２スリットを有する段ボール製の複数の第２仕切りとを備えた梱包部材において、
前記第１仕切りには、一対の側面部と、底板部と、前記第２仕切りの仕切り面に対して交差する方向に所定の長さ分、突出する側端部とが設けられ、
前記第１仕切りと前記複数の第２仕切りとによって囲まれた複数の収納空間が形成され、
前記第１仕切りの側面部には、前記収納空間毎に、前記第１スリットが形成される側の端部に、前記第２仕切りの仕切り面に沿って外側方に折り曲げられた補強片が一体的に設けられ、
前記第１仕切りは、前記第１仕切りの下部から前記第２仕切りの仕切り面に沿って外側方で、かつ、水平方向に突出するように形成され、梱包箱に挿入する際のガイドとして機能するガイド部を含み、
前記ガイド部の前記第２仕切りの仕切り面に沿って外側方に突出した長さと、前記第２仕切りの仕切り面に沿う方向に延びた前記補強片の長さとが実質的に等しい、梱包部材。
【請求項２】
第１スリットを有する段ボール製の第１仕切りと、
前記第１スリットに嵌め込まれる第２スリットを有する段ボール製の複数の第２仕切りとを備え、
前記第１仕切りの側端部は、前記第２仕切りの仕切り面に対して交差する方向に所定の長さ分、突出するように形成され、
前記第１仕切りには、一対の側面部と、底板部とが一体的に設けられており、
前記第１仕切りは、前記第１仕切りの下部から前記第２仕切りの仕切り面に沿って外側方で、かつ、水平方向に突出するように形成され、梱包箱に挿入する際のガイドとして機能するガイド部を含む、梱包部材。
【請求項３】
前記第１仕切りの側面部には、前記第１スリットが形成される側の端部に、前記第２仕切りの仕切り面に沿って外側方に折り曲げられた補強片が一体的に設けられている、請求項２に記載の梱包部材。
【請求項４】
前記第１仕切りと前記複数の第２仕切りとによって囲まれた複数の収納空間が形成され、
前記補強片は、前記収納空間毎に、前記第１仕切りの前記第１スリットが形成される側の端部に設けられている、請求項３に記載の梱包部材。
【請求項５】
前記ガイド部の前記第２仕切りの仕切り面に沿って外側方に突出した長さと、前記第２仕切りの仕切り面に沿う方向に延びた前記補強片の長さとが実質的に等しい、請求項３または４に記載の梱包部材。
【発明の詳細な説明】
【技術分野】
【０００１】
この発明は、梱包部材に関し、特に、製品を収納するための収納空間を備える梱包部材に関する。
【背景技術】
【０００２】
従来、製品を梱包するための梱包部材の仕切りの構造が種々提案されている（例えば、特許文献１〜３参照）。
【０００３】
上記特許文献１には、１枚の段ボールシートを折り曲げることによって形成された筒状の段ボールの仕切り部材において、段ボールシートの所定の個所にカギ状の切り込みを入れることにより、水平方向の２側面に翼状部を設けることによって、倒れることなく自立させることが可能な段ボール仕切り部材が開示されている。
【０００４】
また、上記特許文献２には、２本の瓶類の収納能力がある筒体（仕切り）を１枚の展開基盤から形成することによって、梱包箱に筒体（仕切り）を挿入する際、２個の筒体（仕切り）を順次挿入する場合に比べて、容易に梱包作業を行うことが可能な筒体（仕切り）が開示されている。なお、この筒体（仕切り）には、側面に緩衝材としての機能を有する突片が設けられている。
【０００５】
また、上記特許文献３には、通し仕切り板の２つの折り目に対して、互いに反対方向に直角に折り曲げることによって形成されたクランク状の通し仕切板の切込溝（スリット）に、それぞれ、切込溝（スリット）を有した上段仕切板および下段仕切板を嵌め込むことによって、上段区画と下段区画とを形成することが可能な複層組仕切（梱包部材）が開示されている。
【０００６】
また、従来、製品を収納するための収納空間を備える梱包部材が知られている。図８は、従来の一例による段ボール製の梱包部材の全体構成を示した分解斜視図である。図９は、従来の一例による段ボール製の梱包部材の平面図である。図１０および図１１は、図８に示した従来の一例による段ボール製の梱包部材の仕切りを示した正面図である。図１２は、図８に示した段ボール製の梱包部材の詳細構造を説明するための図である。図８〜図１２を参照して、従来の段ボール製の梱包部材の構造について説明する。
【０００７】
従来の一例による段ボール製の梱包部材は、図８に示すように、一対の仕切り１０１と、一対の仕切り１０１と組み合わされる７つの仕切り１０２と、底板１０３と、天板１０４と、梱包箱１０５とを備えている。また、図８および図１０に示すように、仕切り１０１には、７つのスリット１０１ａと、仕切り１０２の仕切り面に対して交差する方向（図８および図１０のＣ方向）に所定の長さ分、突出した側端部１０１ｂとが設けられている。また、図１１に示すように、仕切り１０２には、仕切り１０１のスリット１０１ａ（図１０参照）に嵌め込まれる２つのスリット１０２ａが設けられている。また、仕切り１０２には、図８および図１１に示すように、仕切り１０１の外側面から所定の長さ分、外側方（図８および図１１のＤ方向）に突出した側端部１０２ｂが設けられている。
【０００８】
また、図１２に示すように、底板１０３は、上記した梱包箱１０５の内部の底部に配置される。また、天板１０４の下面は、仕切り１０１の上端および仕切り１０２の上端により支持される。
【０００９】
また、段ボール製の梱包箱１０５には、図８に示すように、一対の天面フラップ部１０
５ａと、一対の天面フラップ部１０５ｂとが、それぞれ、互いに対向するように設けられている。梱包箱１０５の天面フラップ部１０５ｂは、図１２に示すように、梱包箱１０５の天面フラップ部１０５ａの上部に重なるように配置される。また、図９に示すように、仕切り１０１の側方に突出した側端部１０１ｂと梱包箱１０５の内側面とによって、梱包箱１０５の外部側からの衝撃を吸収することが可能な隙間１１０が形成されている。また、仕切り１０２の側方に突出した側端部１０２ｂと梱包箱１０５の内側面とによって、梱包箱１０５の外部側からの衝撃を吸収することが可能な隙間１２０が形成されている。
【００１０】
また、図８および図９に示すように、一対の仕切り１０１と７つの仕切り１０２とによって、６つの収納空間１０６が構成されている。この収納空間１０６には、図１２に示すように、製品１０７が収納される。この製品１０７には、上部側に突出した突起部１０７ａと、両側部側に突出した突起部１０７ｂとが設けられている。
【００１１】
次に、図８〜図１２を参照して、従来の段ボール製の梱包部材の組立方法および製品の梱包方法について説明する。まず、一対の仕切り１０１（図１０参照）を対向するように配置するとともに、その一対の仕切り１０１のスリット１０１ａに、７つの仕切り１０２（図１１参照）のスリット１０２ａを嵌め込む。これにより、図８および図９に示すように、仕切り１０１と仕切り１０２とにより６つの収納空間１０６を有する仕切り部材が形成される。次に、底板１０３と、仕切り１０１および仕切り１０２からなる仕切り部材とを、梱包箱１０５の上方側から順次梱包箱１０５に嵌め込む。さらに、６つの収納空間１０６に製品１０７を収納した後、梱包箱１０５の上方側から天板１０４を梱包箱１０５に嵌め込む。そして、梱包箱１０５の天面フラップ部１０５ａを内側に折り曲げた後、天面フラップ部１０５ｂを内側に折り曲げる。これにより、図１２に示すように、製品１０７の梱包が完了する。
【特許文献１】特開２００２−１７３１３４号公報
【特許文献２】特開平１０−１３９０３６号公報
【特許文献３】特開昭５７−１８３９５６号公報
【発明の開示】
【発明が解決しようとする課題】
【００１２】
図８〜図１２に示した従来の梱包部材では、一対の仕切り１０１と、底板１０３とをそれぞれ別個に設けているため、部品点数が増加するという問題点があった。また、仕切り１０１および仕切り１０２を嵌め合わせた仕切り部材を、梱包箱１０５に挿入する際に、側方に突出した仕切り１０１の側端部１０１ｂおよび仕切り１０２の側端部１０２ｂの下端部が梱包箱１０５の天面フラップ部１０５ａおよび天面フラップ部１０５ｂの根元部分に引っかかりやすいので、仕切り部材を梱包箱１０５に挿入しにくいという問題点があった。また、梱包箱１０５の内側面と、仕切り１０２の側端部１０２ｂとの間に隙間がある場合には、水平方向の衝撃が加わった場合に、仕切り１０１および１０２の位置がずれるので、仕切り１０１および１０２によって構成される収納空間１０６の位置ずれが発生するという問題点があった。従来では、この衝撃が加わった場合の収納空間１０６の位置ずれに起因して、収納空間１０６に収納される製品１０７が破損する場合があるという問題点があった。また、水平方向の衝撃が加わった場合に、図１３に示すように、仕切り１０１および仕切り１０２が変形することによって、仕切り１０１および１０２によって構成される収納空間１０６が変形するという問題点があった。従来では、この衝撃が加わった場合の収納空間１０６の変形に起因して、収納空間１０６に収納される製品１０７が破損する場合があるという問題点があった。
【００１３】
また、上記特許文献１に開示された組立式段ボール製仕切り容器（梱包部材）では、水平方向の２側面のみにしか翼状部が設けられていないので、梱包箱に仕切りを収納し、筒状の内部に製品を収納した場合、梱包箱の４側面のうち２側面は、仕切りと梱包箱との間
に隙間を形成することができない。このため、隙間を形成することができない２側面からの衝撃に対しては、筒状の内部に収納された製品が破損しやすいという問題点がある。
【００１４】
また、上記特許文献２に開示された筒体（梱包部材）では、筒体をケースに挿入する際に、筒体の突片がケースの開口部の上縁に引っかかりやすいため、筒体をケースに挿入しにくいという問題点がある。
【００１５】
また、上記特許文献３に開示された複層組仕切（梱包部材）では、梱包箱に複層組仕切を挿入する際に、複層組仕切を構成する下段仕切板の側端部の下端が梱包箱の開口部の上縁部に引っかかりやすいため、梱包箱に複層組仕切を挿入しにくいという問題点がある。また、梱包箱内に配置された場合に、梱包箱の内側面と複層組仕切との間に隙間がある場合には、水平方向の衝撃を受けると、複層組仕切の位置ずれが発生するという不都合がある。このため、水平方向の衝撃による複層組仕切の位置ずれに起因して複層組仕切に収納される製品が破損する場合があるという問題点がある。
【００１６】
この発明は、上記のような課題を解決するためになされたものであり、この発明の１つの目的は、部品点数を増加させることなく、容易に梱包箱に嵌め込むことが可能で、かつ、収納空間に収納される製品が側方の４方向からの衝撃に対して、破損するのを抑制することが可能な梱包部材を提供することである。
【課題を解決するための手段】
【００１７】
この発明の第１の局面における梱包部材は、第１スリットを有する段ボール製の第１仕切りと、第１スリットに嵌め込まれる第２スリットを有する段ボール製の複数の第２仕切りとを備えた梱包部材において、第１仕切りには、一対の側面部と、底板部と、第２仕切りの仕切り面に対して交差する方向に所定の長さ分、突出する側端部とが設けられ、第１仕切りと複数の第２仕切りとによって囲まれた複数の収納空間が形成され、第１仕切りの側面部には、収納空間毎に、第１スリットが形成される側の端部に、第２仕切りの仕切り面に沿って外側方に折り曲げられた補強片が一体的に設けられ、第１仕切りは、第１仕切りの下部から第２仕切りの仕切り面に沿って外側方で、かつ、水平方向に突出するように形成され、梱包箱に挿入する際のガイドとして機能するガイド部を含み、ガイド部の第２仕切りの仕切り面に沿って外側方に突出した長さと、第２仕切りの仕切り面に沿う方向に延びた補強片の長さとが実質的に等しい。
【００１８】
この第１の局面による梱包部材では、上記のように、第１仕切りに、第１仕切りの下部から外側方で、かつ、水平方向に突出するように形成され、梱包箱に挿入する際のガイドとして機能するガイド部を設けることによって、複数の第２仕切りを第１仕切りに嵌め込んで梱包箱に挿入する際に、第１仕切りおよび第２仕切りが梱包箱の上縁部に引っかかるのが抑制されるので、容易に、第１仕切りおよび第２仕切りを梱包箱内に挿入することができる。また、第１仕切りに、第１仕切りの下部から外側方に突出するように形成されたガイド部を設けることによって、複数の第２仕切りを第１仕切りに嵌め込んで梱包箱に挿入した場合に、ガイド部が梱包箱の内側面に当接するので、第１仕切りの底板部の位置が外側方にずれるのを抑制することができる。これにより、第１仕切りと第２仕切りとによって構成される収納空間の位置ずれを防止することができる。その結果、収納空間の位置ずれに起因して、収納空間に収納される製品が破損するのを抑制することができる。また、ガイド部を第１仕切りの下部から第２仕切りの仕切り面に沿って外側方に突出させることによって、第２仕切りの仕切り面に沿う方向から衝撃が加わった場合に、ガイド部が変形することにより衝撃を吸収することができるので、製品が破損するのを抑制することができる。また、第１仕切りの側端部を、第２仕切りの仕切り面に対して交差する方向に所定の長さ分、突出するように形成することによって、複数の第２仕切りを第１仕切りに嵌め込んで梱包箱に収納する場合に、第１仕切りの側方に突出した側端部と梱包箱の内面と
によって隙間を形成することができる。これにより、第２仕切りの仕切り面に対して交差する方向から衝撃が加わった場合にも、第１仕切りの側方に突出した側端部と梱包箱の内面とによって形成された隙間により、衝撃を吸収することができる。これらの結果、側方の４方向からの衝撃に対して、第１仕切りと第２仕切りとによって形成された収納空間に収納された製品が破損するのを抑制することができる。また、第１仕切りに、側面部と、底板部とを一体的に設けることによって、側面部と底板部とを別個に設ける場合と比べて、部品点数を削減することができる。また、第１仕切りの第１スリットが形成される側の端部に、第２仕切りの仕切り面に沿って外側方に折り曲げられた補強片を一体的に設けることによって、複数の第２仕切りを第１仕切りに嵌め込み、梱包箱に収納した状態で、第２仕切りの仕切り面に沿う方向からの衝撃に起因して、第１仕切りと第２仕切りとにより形成された収納空間に収納される製品が水平方向に移動した場合にも、外側方に折り曲げられた第１仕切りの補強片が梱包箱の内側面に当接することによって、第１仕切りの第１スリットが形成される側の端部が外側方に折れ曲がるのを抑制することができる。これにより、収納空間に収納される製品が破損するのをより抑制することができる。また、第１仕切りと複数の第２仕切りとによって囲まれた複数の収納空間毎に補強片を設けることによって、各収納空間内に収納された製品が破損するのを抑制することができる。また、ガイド部の第２仕切りの仕切り面に沿って外側方に突出した長さと、第２仕切りの仕切り面に沿う方向に延びた補強片の長さとを実質的に等しく形成することによって、複数の第２仕切りを第１仕切りに嵌め込み、梱包箱に収納する場合に、補強片とガイド部とが梱包箱の内側面に当接することになるので、補強片と、ガイド部と、梱包箱とによって、衝撃を吸収可能な隙間を形成することができる。これにより、第２仕切りの仕切り面に沿う方向から衝撃が加わった場合にも、上記隙間により、衝撃を吸収することができる。その結果、第１仕切りと第２仕切りとによって形成された収納空間に収納された製品が破損するのをより抑制することができる。
【００１９】
この発明の第２の局面における梱包部材は、第１スリットを有する段ボール製の第１仕切りと、第１スリットに嵌め込まれる第２スリットを有する段ボール製の複数の第２仕切りとを備え、第１仕切りの側端部は、第２仕切りの仕切り面に対して交差する方向に所定の長さ分、突出するように形成され、第１仕切りには、一対の側面部と、底板部とが一体的に設けられており、第１仕切りは、第１仕切りの下部から第２仕切りの仕切り面に沿って外側方で、かつ、水平方向に突出するように形成され、梱包箱に挿入する際のガイドとして機能するガイド部を含む。
【００２０】
この第２の局面による梱包部材では、上記のように、第１仕切りに、第１仕切りの下部から外側方で、かつ、水平方向に突出するように形成され、梱包箱に挿入する際のガイドとして機能するガイド部を設けることによって、複数の第２仕切りを第１仕切りに嵌め込んで梱包箱に挿入する際に、第１仕切りおよび第２仕切りが梱包箱の上縁部に引っかかるのを抑制されるので、容易に、第１仕切りおよび第２仕切りを梱包箱内に挿入することができる。また、第１仕切りに、第１仕切りの下部から外側方に突出するように形成されたガイド部を設けることによって、複数の第２仕切りを第１仕切りに嵌め込んで梱包箱に挿入した場合に、ガイド部が梱包箱の内側面に当接するので、第１仕切りの底板部の位置が外側方にずれるのを抑制することができる。これにより、第１仕切りと第２仕切りとによって構成される収納空間の位置ずれを防止することができる。その結果、収納空間の位置ずれに起因して、収納空間に収納される製品が破損するのを抑制することができる。また、ガイド部を第１仕切りの下部から第２仕切りの仕切り面に沿って外側方に突出させることによって、第２仕切りの仕切り面に沿う方向から衝撃が加わった場合に、ガイド部が変形することにより衝撃を吸収することができるので、製品が破損するのを抑制することができる。また、第１仕切りの側端部を、第２仕切りの仕切り面に対して交差する方向に所定の長さ分、突出するように形成することによって、複数の第２仕切りを第１仕切りに嵌め込んで梱包箱に収納する場合に、第１仕切りの側方に突出した側端部と梱包箱の内面と
によって隙間を形成することができる。これにより、第２仕切りの仕切り面に対して交差する方向から衝撃が加わった場合にも、第１仕切りの側方に突出した側端部と梱包箱の内面とによって形成された隙間により、衝撃を吸収することができる。これらの結果、側方の４方向からの衝撃に対して、第１仕切りと第２仕切りとによって形成された収納空間に収納された製品が破損するのを抑制することができる。また、第１仕切りに、側面部と、底板部とを一体的に設けることによって、側面部と底板部とを別個に設ける場合と比べて、部品点数を削減することができる。
【００２１】
上記第２の局面による梱包部材において、好ましくは、第１仕切りの側面部には、第１スリットが形成される側の端部に、第２仕切りの仕切り面に沿って外側方に折り曲げられた補強片が一体的に設けられている。このように構成すれば、複数の第２仕切りを第１仕切りに嵌め込み、梱包箱に収納した状態で、第２仕切りの仕切り面に沿う方向からの衝撃に起因して、第１仕切りと第２仕切りとにより形成された収納空間に収納される製品が水平方向に移動した場合にも、外側方に折り曲げられた第１仕切りの補強片が梱包箱の内側面に当接することにより、第１仕切りの第１スリットが形成される側の端部が外側方に折れ曲がるのを抑制することができる。これにより、収納空間に収納される製品が破損するのをより抑制することができる。
【００２２】
上記第１仕切りの側面部に補強片が設けられた梱包部材において、好ましくは、第１仕切りと複数の第２仕切りとによって囲まれた複数の収納空間が形成され、補強片は、収納空間毎に、第１仕切りの第１スリットが形成される側の端部に設けられている。このように構成すれば、収納空間毎に設けられた補強片により、各収納空間内に収納された製品が破損するのを抑制することができる。
【００２３】
上記第１仕切りの側面部に補強片が設けられた梱包部材において、好ましくは、ガイド部の第２仕切りの仕切り面に沿って外側方に突出した長さと、第２仕切りの仕切り面に沿う方向に延びた補強片の長さとが実質的に等しい。このように構成すれば、複数の第２仕切りを第１仕切りに嵌め込み、梱包箱に収納する場合に、補強片とガイド部とが梱包箱の内側面に当接することになるので、補強片と、ガイド部と、梱包箱とによって、衝撃を吸収可能な隙間を形成することができる。これにより、第２仕切りの仕切り面に沿う方向から衝撃が加わった場合に、上記隙間により、衝撃を吸収することができる。その結果、第１仕切りと第２仕切りとによって形成された収納空間に収納された製品が破損するのをより抑制することができる。
【発明を実施するための最良の形態】
【００２４】
以下、本発明を具体化した実施形態を図面に基づいて説明する。
【００２５】
図１は、本発明の一実施形態による段ボール製の梱包部材の全体構成を示した分解斜視図である。図２は、図１に示した一実施形態による段ボール製の梱包部材の平面図である。図３〜図５は、図１に示した一実施形態による段ボール製の梱包部材の仕切りの詳細構造を説明するための図である。図６および図７は、図１に示した一実施形態による段ボール製の梱包部材の詳細構造を説明するための図である。図１〜図７を参照して、本発明の一実施形態による段ボール製の梱包部材の構造について説明する。
【００２６】
本発明の一実施形態による段ボール製の梱包部材は、図１に示すように、仕切り１と、仕切り１に組み合わされる７つの仕切り２と、天板３と、梱包箱４とを備えている。なお、仕切り１は、本発明の「第１仕切り」の一例であり、仕切り２は、本発明の「第２仕切り」の一例である。
【００２７】
ここで、本実施形態では、図１、図３および図４に示すように、仕切り１は、一対の側
面部１ａと、底板部１ｂとが一体的に設けられている。また、仕切り１には、仕切り２の仕切り面に対して直交する方向（図１および図３のＡ方向）に所定の長さ分、突出するように形成された側端部１ｃが設けられている。また、図３および図４に示すように、仕切り１の一対の側面部１ａには、それぞれ、７つのスリット１ｄが設けられている。なお、スリット１ｄは、本発明の「第１スリット」の一例である。また、図２および図４に示すように、仕切り１の一対の側面部１ａには、それぞれ、スリット１ｄが形成される側の端部に８つの補強片１ｅが一体的に設けられている。この補強片１ｅは、仕切り２の仕切り面に沿って（図２および図４のＢ方向）外側方に突出するように形成される。また、図７に示すように、この補強片１ｅは、仕切り１のスリット１ｄが形成される側の端部が外側方に折れ曲がるのを抑制する機能を有している。また、図３に示すように、仕切り１の一対の側面部１ａには、それぞれ、補強片１ｅを形成するための８つの折り目１ｆが設けられている。また、仕切り１の一対の側面部１ａには、それぞれ、仕切り１の下端部から仕切り２の仕切り面に沿って（図１および図４のＢ方向）外側方で、かつ、水平方向に突出するように形成された４つのガイド部１ｇが設けられている。このガイド部１ｇは、梱包箱４の内部に挿入する際のガイドとして機能する。また、このガイド部１ｇは、さらに、底板部１ｂの位置が外側方にずれることを抑制する機能と、緩衝材としての機能とを有する。また、図３および図４に示すように、ガイド部１ｇの仕切り２の仕切り面に沿って（図３および図４のＢ方向）外側方に突出した長さＬ１と、仕切り２の仕切り面に沿う方向（図３および図４のＢ方向）に延びた仕切り１の補強片１ｅの長さＬ２とが実質的に等しくなるように形成されている。また、図３に示すように、仕切り１の側面部１ａには、それぞれ、ガイド部１ｇを形成するための４つの切り込み１ｈが設けられている。また、仕切り１の一対の側面部１ａと底板部１ｂとの境界部分には、折り目１ｉが設けられている。
【００２８】
また、図１および図５に示すように、仕切り２は、２つのスリット２ａと、仕切り１の仕切り面に対して直交する方向（図１および図５のＢ方向）に所定の長さ分、突出するように形成された側端部２ｂとを有している。なお、スリット２ａは、本発明の「第２スリット」の一例である。
【００２９】
また、図６に示すように、天板３の下面は、仕切り１の補強片１ｅの上面および仕切り２の上端により支持される。また、天板３は、仕切り１に一体的に設けられた補強片１ｅを折り曲げた状態で保持する機能と、仕切り２が仕切り１に対して垂直上方に抜けるのを防止する機能とを有する。
【００３０】
また、梱包箱４には、図１に示すように、一対の天面フラップ部４ａと、一対の天面フラップ部４ｂとが、それぞれ、互いに対向するように設けられている。梱包箱４の天面フラップ部４ｂは、図６に示すように、梱包箱４の天面フラップ部４ａの上部に重なるように配置される。また、図２に示すように、仕切り１の側方に突出した側端部１ｃと梱包箱４の内側面とによって、梱包箱４の外部側からの衝撃を吸収することが可能な隙間１０が形成されている。また、図６および図７に示すように、仕切り２の側方に突出した側端部２ｂと梱包箱４の内側面とによって、梱包箱４の外部側からの衝撃を吸収することが可能な隙間２０が形成されている。
【００３１】
また、図１および図２に示すように、仕切り１と仕切り２とによって６つの収納空間５が構成されている。この収納空間５には、図２に示すように、収納空間５毎に、仕切り１の補強片１ｅが設けられている。また、図６および図７に示すように、収納空間５には、製品６が収納される。この製品６は、たとえば、テレビ用チューナーである。この製品６には、上部側に突出した突起部６ａと、両側部側に突出した突起部６ｂとが設けられている。
【００３２】
次に、図１〜図６を参照して、一実施形態による段ボール製の梱包部材の組立方法および製品の梱包方法について説明する。まず、仕切り１の一対の側面部１ａを、それぞれ、折り目１ｉ（図３参照）に沿って垂直上方に折り曲げる。これにより、仕切り１の一対の側面部１ａは、対向するように配置される。また、一対の側面部１ａに対してガイド部１ｇおよび底板部１ｂは、直角方向に延びるように形成される。このとき、ガイド部１ｇは、仕切り１の側面部１ａの下端部から仕切り２の仕切り面に沿って（図４のＢ方向）外側方で、かつ、水平方向に突出する。また、一対の側面部１ａの補強片１ｅを、それぞれ、折り目１ｆに沿って外側方の水平方向に９０°折り曲げることにより、仕切り２の仕切り面に沿って（図４のＢ方向）外側方に折り曲げられた補強片１ｅが形成される。これにより、図４に示すような仕切り１が形成される。
【００３３】
次に、対向するように配置された仕切り１の一対の側面部１ａのスリット１ｄに、７つの仕切り２（図５参照）のスリット２ａを嵌め込む。これにより、図１に示すように、仕切り１と仕切り２とにより６つの収納空間５を有する仕切り部材が形成される。次に、仕切り１および仕切り２からなる仕切り部材を、梱包箱４の上方側から梱包箱４に嵌め込む。これにより、図２に示した状態になる。さらに、６つの収納空間５に製品６を収納した後、梱包箱４の上方側から天板３を梱包箱４に嵌め込む。そして、梱包箱４の天面フラップ部４ａを内側に折り曲げた後、梱包箱４の天面フラップ部４ｂを内側に折り曲げる。これにより、図６に示すように、製品６の梱包が完了する。
【００３４】
本実施形態では、上記のように、仕切り１に、仕切り１の下端部から外側方で、かつ、水平方向に突出するように形成され、梱包箱４に挿入する際のガイドとして機能するガイド部１ｇを設けることによって、７つの仕切り２を仕切り１に嵌め込んで梱包箱４に挿入する際に、仕切り１および仕切り２が梱包箱４の天面フラップ４ａおよび天面フラップ４ｂの根元部分に引っかかるのが抑制されるので、容易に、仕切り１および仕切り２を梱包箱４内に挿入することができる。
【００３５】
また、本実施形態では、仕切り１に、仕切り１の下端部から外側方に突出するように形成されたガイド部１ｇを設けることによって、７つの仕切り２を仕切り１に嵌め込んで梱包箱４に挿入した場合に、ガイド部１ｇが梱包箱４の内側面に当接するので、仕切り１の底板部１ｂの位置が外側方にずれるのを抑制することができる。これにより、仕切り１と仕切り２とによって構成される収納空間５の位置ずれを防止することができる。その結果、収納空間５の位置ずれに起因して、収納空間５に収納される製品６が破損するのを抑制することができる。また、ガイド部１ｇを仕切り１の下端部から仕切り２の仕切り面に沿って（図１および図３のＢ方向）外側方に突出させることによって、仕切り２の仕切り面に沿う方向（図１および図６のＢ方向）から衝撃が加わった場合に、ガイド部１ｇが変形することにより衝撃を吸収することができるので、製品６が破損するのを抑制することができる。また、仕切り１の側端部１ｃを、仕切り２の仕切り面に対して直交する方向（図１および図３のＡ方向）に所定の長さ分、突出するように形成することによって、７つの仕切り２を仕切り１に嵌め込んで梱包箱４に収納する場合に、仕切り１の側方に突出した側端部１ｃと梱包箱４とによって隙間１０（図２参照）を形成することができる。これにより、仕切り２の仕切り面に対して直交する方向（図１および図２のＡ方向）から衝撃が加わった場合にも、仕切り１の側方に突出した側端部１ｃと梱包箱４とによって形成された隙間１０により、衝撃を吸収することができる。このように、ガイド部１ｇと隙間１０とによって、側方の４方向（図１のＡ方向およびＢ方向）からの衝撃に対して、仕切り１と仕切り２とにより形成された収納空間５に収納された製品６が破損するのを抑制することができる。
【００３６】
また、本実施形態では、仕切り１に、２つの側面部１ａと底板部１ｂとを一体的に設けることによって、底板部１ｂを仕切り１の側面部１ａとは別個に設ける場合に比べて、部
品点数を削減することができる。また、２つの側面部１ａを一体的に形成することによって、２つの側面部１ａ（一対の側面部１ａ）を別個に設ける場合に比べて、部品点数を削減することができる。
【００３７】
また、本実施形態では、仕切り１のスリット１ｄが形成される側の端部に、仕切り２の仕切り面に沿って（図１および図２のＢ方向）外側方に折り曲げられた補強片１ｅを一体的に設けることによって、７つの仕切り２を仕切り１に嵌め込み、梱包箱４に収納した状態で、仕切り２の仕切り面に沿う方向（図１および図６のＢ方向）からの衝撃に起因して、仕切り１と仕切り２とにより形成された収納空間５に収納される製品６が水平方向（図７のＢ方向）に移動した場合にも、図７に示すように、外側方に折り曲げられた仕切り１の補強片１ｅが梱包箱５の内側面に当接することによって、仕切り１のスリット１ｄが形成される側の端部が外側方に折れ曲がるのを抑制することができる。これにより、収納空間５に収納される製品６が破損するのをより抑制することができる。また、仕切り１と７つの仕切り２とによって囲まれた６つの収納空間５毎に補強片１ｅを設けることによって、各収納空間５内に収納された製品６が破損するのを抑制することができる。
【００３８】
また、本実施形態では、ガイド部１ｇの仕切り２の仕切り面に沿って（図３のＢ方向）外側方に突出した長さＬ１（図３および図４参照）と、仕切り２の仕切り面に沿う方向（図３のＢ方向）に延びた補強片の長さＬ２（図３および図４参照）とを実質的に等しく形成することによって、７つの仕切り２を仕切り１に嵌め込み、梱包箱４に収納する場合に、補強片１ｅとガイド部１ｇとが梱包箱４の内側面に当接することになるので、補強片１ｅと、ガイド部１ｇと、梱包箱４とによって、衝撃を吸収可能な隙間２０（図６および図７参照）を形成することができる。これにより、仕切り２の仕切り面に沿う方向（図１および図６のＢ方向）から衝撃が加わった場合にも、上記隙間２０により、衝撃を吸収することができる。その結果、仕切り１と仕切り２とによって形成された収納空間５に収納された製品６が破損するのをより抑制することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の梱包部材に収納される製品の一例としてテレビ用チューナーを示したが、本発明はこれに限らず、テレビ用チューナー以外の他の製品にも適用可能である。
【００４１】
また、上記実施形態では、仕切りに対して、７つの仕切りを嵌め込む例を示したが、本発明はこれに限らず、仕切りに対して、７つ以外の２つ以上の仕切りを嵌め込んでもよい。
【００４２】
また、上記実施形態では、一対の側面部に、それぞれ、４つのガイド部を設ける例を示したが、本発明はこれに限らず、側面部に、３つ以下または５つ以上のガイド部を設けてもよい。
【図面の簡単な説明】
【００４３】
【図１】本発明の一実施形態による段ボール製の梱包部材の全体構成を示した分解斜視図である。
【図２】図１に示した一実施形態による段ボール製の梱包部材を梱包箱に配置した状態の平面図である。
【図３】図１に示した一実施形態による段ボール製の梱包部材の仕切りを示した展開図である。
【図４】図１に示した一実施形態による段ボール製の梱包部材の仕切りを示した斜視図である。
【図５】図１に示した一実施形態による段ボール製の梱包部材の仕切りを示した正面図である。
【図６】図１に示した一実施形態による段ボール製の梱包部材により製品を収納した状態を説明するための内部透視図である。
【図７】図１に示した一実施形態による段ボール製の梱包部材の衝撃時における状態を説明するための内部透視図である。
【図８】従来の一例による段ボール製の梱包部材の全体構成を示した分解斜視図である。
【図９】図８に示した従来の一例による段ボール製の梱包部材を梱包箱に配置した状態の平面図である。
【図１０】図８に示した従来の一例による段ボール製の梱包部材の仕切りを示した正面図である。
【図１１】図８に示した従来の一例による段ボール製の梱包部材の仕切りを示した正面図である。
【図１２】図８に示した従来の一例による段ボール製の梱包部材により製品を収納した状態を説明するための内部透視図である。
【図１３】図８に示した従来の一例による段ボール製の梱包部材の衝撃時における状態を説明するための内部透視図である。
【符号の説明】
【００４４】
１  仕切り（第１仕切り）
１ａ  側面部
１ｂ  底板部
１ｃ  側端部
１ｄ  スリット（第１スリット）
１ｅ  補強片
１ｇ  ガイド部
２  仕切り（第２仕切り）
２ａ  スリット（第２スリット）
５  収納空間
【図１】
2006062667.tif 000003
【図２】
2006062667.tif 000004
【図３】
2006062667.tif 000005
【図４】
2006062667.tif 000006
【図５】
2006062667.tif 000007
【図６】
2006062667.tif 000008
【図７】
2006062667.tif 000009
【図８】
2006062667.tif 000010
【図９】
2006062667.tif 000011
【図１０】
2006062667.tif 000012
【図１１】
2006062667.tif 000013
【図１２】
2006062667.tif 000014
【図１３】
2006062667.tif 000015